(57)【要約】      （修正有）【課題】セキュリティ効果を上げるために、電波に反応する電子デバイスを手作業によっては取り外してしまうことができないように固着することで、特にその対象を両端をロック、あるいは絞り込むことでループを形成してタグ等を吊持したり、線状材を結束したり、複数商品を連結するためのアタッチ部材とする。【解決手段】可撓性を有するループ形成部１の一端に、内部に抜け止め係止部を形成した受部２を備え、他端に前記受部に挿し込まれ、前記抜け止め係止部と係合する係合部を形成した挿し込み部５を備えたアタッチ部材において、前記したループ形成部、受部、挿し込み部のいずれかの一部もしくは前記各々の部分に一体的に設けられる表示プレート８の一部に電子デバイス７を固設してあることとし、前記した電子デバイスは無線ＩＣチップとしたこととする。【選択図】図３
2005037640.tif 000002
【特許請求の範囲】
【請求項１】
可撓性を有するループ形成部の一端に、内部に抜け止め係止部を形成した受部を備え、他端に前記受部に挿し込まれ、前記抜け止め係止部と係合する係合部を形成した挿し込み部を備えたアタッチ部材において、前記したループ形成部、受部、挿し込み部のいずれかの一部もしくは前記各々の部分に一体的に設けられる表示パートの一部に電子デバイスを固設してあることを特徴とするアタッチ部材。
【請求項２】
前記した電子デバイスは無線ＩＣチップとしたことを特徴とする請求項１に記載のアタッチ部材。
【請求項３】
前記したループ形成部は延伸加工されたプラスチックファイバーとし、その一部を他の部分より大容量に加工し、その大容量部分に電子デバイスを固設してあることを特徴とする請求項１または請求項２に記載のアタッチ部材。
【請求項４】
前記したループ形成部は撚り糸あるいは紐が用いられていることを特徴とする請求項１または請求項２に記載のアタッチ部材。
【請求項５】
前記したループ形成部は金属のワイヤーが用いられていることを特徴とする請求項１または請求項２に記載のアタッチ部材。
【請求項６】
前記したループ形成部はボールチェーンが用いられていることを特徴とする請求項１または請求項２に記載のアタッチ部材。
【請求項７】
前記したループ形成部は一方面にラチェットを連続形成したプラスチック製の帯材が用いられていることを特徴とする請求項１または請求項２に記載のアタッチ部材。
【請求項８】
前記したループ形成部に導電性の材料を入れ、アンテナとして使用したことを特徴とする請求項１、請求項２、請求項３、請求項４、請求項５、請求項６または請求項７に記載のアタッチ部材。
【発明の詳細な説明】
【技術分野】
【０００１】
本発明はアタッチ部材に関し、特に商品の一部に両端をロックして取り付け、タグ等を吊持させるために用いられるアタッチ部材に関する。
【背景技術】
【０００２】
従来より、商品としての被服のボタン穴に通したり、指輪や眼鏡枠等にループ形成部を通して両端をロックし、価格や材質等を表示したタグを吊持させるアタッチ部材や、線状材等を束ねてループ形成部を絞りロックして結束するアタッチ部材が知られている。
【０００３】
一方、商品の不正持ち出し、いわゆる万引きの防止用として用いられている磁気反応部材は二折りされるタグの内面に備えられるもので、剥離行為等によって検出ゲートを容易に通過してしまい、セキュリティ効果が必ずしも万全とはいえない状況にある。
【０００４】
そのため、近時はタグの内面に前記した磁気反応部材に代え、あるいは併せて電波に反応するＩＣチップ、特にアンテナも共に封入したＩＣチップパックを備えることが行なわれている。
【０００５】
しかしながら、磁気反応部材に代え、あるいは併せて無線ＩＣチップを組み入れたとしてもタグへの装備ではやはり、剥離や取り外しが手作業でも可能なため、十分なセキュリティ対策とはなり得ない状況があり、タグ自体を補強していくには経済的な面からも困難なこととなっている。
【特許文献１】特願２００３−０１７７５８号
【発明の開示】
【発明が解決しようとする課題】
【０００６】
本発明が解決しようとする問題点は、セキュリティ効果を上げるために、電波に反応する電子デバイスを手作業によっては取り外してしまうことができないように固着することで、特にその対象を両端をロック、あるいは絞り込むことでループを形成してタグ等を吊持したり、線状材を結束したり、複数商品を連結するためのアタッチ部材において実現する。
【課題を解決するための手段】
【０００７】
本発明は上記した課題を解決するために、可撓性を有するループ形成部の一端に、内部に抜け止め係止部を形成した受部を備え、他端に前記受部に挿し込まれ、前記抜け止め係止部と係合する係合部を形成した挿し込み部を備えたアタッチ部材において、前記したループ形成部、受部、挿し込み部のいずれかの一部もしくは前記各々の部分に一体的に設けられる表示パートの一部に電子デバイスを固設してあることを特徴とし、前記した電子デバイスは無線ＩＣチップとしたことを特徴としている。
【０００８】
また、本発明は前記したループ形成部は延伸加工されたプラスチックファイバーとし、その一部を他の部分より大容量に加工し、その大容量部分に電子デバイスを固設してあることを特徴とし、前記したループ形成部は撚り糸あるいは紐が用いられていることを特徴とし、前記したループ形成部は金属のワイヤーが用いられていることを特徴とし、前記したループ形成部はボールチェーンが用いられていることを特徴とし、前記したループ形成部は一方面にラチェットを連続形成したプラスチック製の帯材が用いられていることを特徴としている。
【０００９】
さらに、本発明は前記したループ形成部に導電性の材料を入れ、アンテナとして使用していることを特徴としている。
【発明の効果】
【００１０】
上記したように、本発明にあってはカッターを用いない限り手作業では切断あるいはロック解除が不可能なアタッチ部材の一部に電子デバイス、特にＩＣチップを固設しているので、セキュリティの確実性が向上することとなり、その製作も簡易であるため、製品価格も低廉なものとできる。
【００１１】
また、ループ形成部をアンテナとして使用することで、電子デバイスとセパレートすることができ、無線周波数が高くなった場合でも対応することができるものとなる。
【発明を実施するための最良の形態】
【００１２】
本発明はセキュリティ効果の向上が目的としてあるため、アタッチ部材を構成する比較的肉厚の部分に凹穴を形成し、電子デバイスを埋め付けることがよいが、その電子デバイスを被覆して外部からの直接的な接触を回避するようにすることもでき、かかる電子デバイスの存在を、商品から手作業では取り外すことのできないアタッチ部材に固設し、商品から電子デバイスが外れてしまうことを防止することができる。
【実施例１】
【００１３】
図１は本発明を実施したアタッチ部材の一部断面平面図であり、このアタッチ部材は延伸加工された強靭なプラスチック製のループ形成部（ファイバー）１を有している。このループ形成部１の一端には本実施例では略円筒状とした受部２が一体に備えられている。
【００１４】
この受部２の内側略中央には突条状態とした抜け止め係止部３が一体形成されている。一方、前記したループ形成部１の他端には前記した受部２の貫通孔（挿し込み孔）４内に挿し込まれる挿し込み部５が一体に備えられている。
【００１５】
この挿し込み部５には前記した受部２の抜け止め係止部３と係合してロック状態とされ、ループ形成部１をループ状（無端状）として固定させる係合部６が一体形成されている。
【００１６】
そして、前記した受部２の外表面の一部には、その肉厚を利用して電子デバイスであるＩＣチップパック７が、その外表面に形成された凹穴に嵌められ、接着剤で離脱してしまうことのないように固着されている。また、必要に応じてこのＩＣチップパック７を含む表面をコーティング等で被覆すると、より一層離脱を防止することができる。
【００１７】
ここで、ＩＣチップパック７はＩＣチップにアンテナを付設したものを密封した部品として既存の製品が使用されることとなる。
【００１８】
図２として示すのは第二の実施例であり、この場合には図１に示したループ形成部１の一部分を偏平部１ａとして加工形成し、その偏平部１ａにＩＣチップパック７を前記と同様にして固着したものである。
【００１９】
また、図３として示すのは表示用プレート８を一体に備えた第三の実施例である。この表示用プレート８はプラスチック製の平板となっており、価格や品質等を記載したシールやバーコードシール等を貼装したり、表示をプリントしたりすることができるものとなっている。
【００２０】
この第三の実施例の場合は前記と同様のループ形成部１を有し、その先端に係合部６を備えた挿し込み部５が一体に備えられており、ループ形成部１の基端は前記表示用プレート８の周縁の一部に一体に連結されたものとなっている。
【００２１】
そして、前記表示用プレート８のループ形成部１の基端が連結された周縁と隣接する周縁に受部２が一体に設けられ、この受部２の挿入口の開口縁はループ形成部１の基端が連結された周縁と面一に形成されたものとされている。また、表示プレート８の一部には前記したと同様にＩＣチップパック７が固設されている。なお、このＩＣチップパック７の固設部位はこの表示用プレート８に限らず、受部２やループ形成部１に偏平部を形成したり、挿し込み部５の部位に拡張部５ａを設けてそこに固設することもできる。
【００２２】
また、図４として示すのは第四の実施例であり、この場合のループ形成部９はナイロン等の素材で成形されたボールチェーンもしくは錐状の係合部を連続して備えた形態のものとなっている。このループ形成部９の先端には挿し込み部１０が一体に備えられている。
【００２３】
前記したループ形成部９の他端には前記したと同様の受部２が一体に備えられており、この受部２の挿通孔４に挿し込み部１０を挿通するとループ形成部９の一部が係合して抜け止めされるもので、この際のループ形成の径はループ形成部９を引き絞りすることで自在に設定できる。
【００２４】
受部２の一部にはつなぎ部１１を介して挟持クリップ１２が連結されている。この挟持クリップ１２によって一部をアーチ形状とした表示プレート８ａが一体的に連結されており、この表示プレート８ａの一部にはＩＣチップパック７が固設されている。このＩＣチップパック７の固定位置は表示プレート８ａに限らず受部２や挟持クリップ１２等であってもよい。
【００２５】
さらに、図５として示すのは第五の実施例であり、この場合のループ形成部１３はプラスチックで成形された帯状とされ、その一方面、特にループ形成時の内面側に連続してラチェット１４が形成されている。このループ形成部１３の先端は挿し込み部１５とされており、基端に一体に備えられた受部１６に通され、そこに備えられた係止爪と前記ラチェット１４を係合させることでループを形成し、ロックされる。この場合のループ径も挿し込み部１５を引き絞ることで自在に設定できる。
【００２６】
前記した受部１６の一部には挟持クリップ１７が設けられており、この場合は挟持クリップ１７によって表示プレート８ｂが着脱自在に取り付けられており、この表示プレート８ｂは透明な袋体等に収容して取り付けることもできるものとされている。
【００２７】
前記表示プレート８ｂの一部にはＩＣチップパック７が固設されている。この場合にもＩＣチップパック７の固設部位は表示プレート８ｂに限らず受部１６や挟持クリップ１７等としてもよい。
【００２８】
さらに、図６として示すのは第六の実施例であり、その構成は図５に示している第五の実施例としているが、この場合の表示プレート８ｃは挟持クリップ１７によって一体化されており、表示プレート８ｃの先端寄りに店内における陳列用フック等に掛け吊りされるための透孔１８が穿設されている。
【００２９】
この表示プレート８ｃもその一部にＩＣチップパック７を固設した構成としている。この実施例にあってもＩＣチップパック７の固設部位は表示プレート８ｃに限らず、受部１６や挟持クリップ１７等としてもよい。
【００３０】
上記した各実施例のほかにもループ形成部としては撚糸や紐、金属のワイヤー等を用いることができ、さらに、電子デバイスとしてＩＣチップパック７に代えて、単独のＩＣチップとし、ループ形成部等に導電性の金属を組み入れてアンテナとすることもできる。かかる構成ではより一層ＩＣチップの固設スペースは小さくて済むこととなり、特に使用する電波の周波数が高くなっても十分に対応することができるようになる。
【産業上の利用可能性】
【００３１】
ループを形成するアタッチ部材の一部に電子デバイスを固設する構成としているため、販売を目的とした商品を対象とするほか、公共施設等における備品にも応用使用し、不正な持ち出しを監視するという用途にも適用することができる。
【図面の簡単な説明】
【００３２】
【図１】第一の実施例を示す一部断面平面図である。
【図２】第二の実施例を示す要部平面図である。
【図３】第三の実施例を示す平面図である。
【図４】第四の実施例を示す平面図である。
【図５】第五の実施例を示す平面図である。
【図６】第六の実施例を示す平面図である。
【符号の説明】
【００３３】
１    ループ形成部
１ａ  偏平部
２    受部
３    係止部
４    貫通孔（挿し込み孔）
５    挿し込み部
５ａ  拡張部
６    係合部
７    ＩＣチップパック
８    表示プレート
８ａ  表示プレート
８ｂ  表示プレート
８ｃ  表示プレート
９    ループ形成部
１０  挿し込み部
１１  つなぎ部
１２  挟持クリップ
１３  ループ形成部
１４  ラチェット
１５  挿し込み部
１６  受部
１７  挟持クリップ
１８  透孔
【図１】
2005037640.tif 000003
【図２】
2005037640.tif 000004
【図３】
2005037640.tif 000005
【図４】
2005037640.tif 000006
【図５】
2005037640.tif 000007
【図６】
2005037640.tif 000008